(57)【要約】【課題】浴槽内の水中に浸って入浴するに当って、浴水自体が照明されて光っている中に入浴できて従来の入浴では得られないリラックス感が得られ、更に、水中照明状態が変化する複数のモードを選択して入浴ができる。浴槽に浸って入浴している際、入浴者の心理評価に基づく最適の明るさ変化パターンで水中照明することで、よりリラックス感を向上させることができる。【解決手段】浴槽２内の水中を照明する水中照明器具３ａを備えている。水中照明器具３ａは、予め設定された光色変化パターンで光色が自動的に変化する光色変化モードと、光色が固定されて明るさが予め設定された明るさ変化パターンで自動的に変化する固定色明るさゆらぎモードとを備えている。【選択図】図１
2008053183.tif 000002
【特許請求の範囲】
【請求項１】
浴室の浴槽内の水中を照明する水中照明器具を備え、該水中照明器具は、予め設定された光色変化パターンで光色が自動的に変化する光色変化モードと、光色が固定されて明るさが予め設定された明るさ変化パターンで自動的に変化する固定色明るさゆらぎモードとを備えていることを特徴とする浴室照明装置。
【請求項２】
浴室内を照明する調光可能な主照明装置と、浴室の浴槽内を照明する水中照明器具とを備え、該水中照明器具は、予め設定された光色変化パターンで光色が自動的に変化する光色変化モードと、光色が固定されて明るさが予め設定された明るさ変化パターンで自動的に変化する固定色明るさゆらぎモードとを備えていることを特徴とする浴室照明装置。
【請求項３】
水中照明器具が、上記光色変化モードと、固定色明るさゆらぎモードに加え、更に、光色が固定され且つ明るさが一定の固定色明るさ一定発光モードを備えていることを特徴とする請求項１又は請求項２記載の浴室照明装置。
【発明の詳細な説明】
【技術分野】
【０００１】
本発明は、浴槽の湯水に浸かってくつろいで入浴できるような照明が可能となった浴室照明装置に関するものである。
【背景技術】
【０００２】
従来から浴槽内の水面に浮遊させる浴槽照明器具が特許文献１により知られている。この浴槽照明器具は、浴槽内の水面に浮遊させて、水面よりも上の空間を照明するようになっており、光色が変化する光色変化パターンと、光色を固定する光色固定パターンとを備えており、水面が波立って浴槽照明器具が振動することで、光強度を変化させるようになっている。つまり、水面が大きく波立って浴槽照明器具が大きく振動すると光強度の強い光を出力し、振動が小さい場合は光強度の弱い光を出力して、浴槽の水面よりも上方の空間を趣向に富んだ光で照明し、浴室内空間を様々な色で照明して楽しみながら入浴することができるようになっている。
【０００３】
上記特許文献１に示された従来例にあっては、浴槽の水面より上方の空間を光色が変化する光色変化パターンで照明したり、あるいは、光色を固定する光色固定パターンで照明したりするのを切り換えて、入浴を楽しむための照明を行うものでしかなく、浴槽内の水中（浴水中）を直接照明して従来にない幻想的な浴水に入浴することで、リラックスした入浴ができるようにした水中照明に関するものではない。つまり、従来例にあっては、浴槽内の浴水自体が、光色を変化させながら光ったり、光色が固定されて光ったりするようになっていない。
【０００４】
このように浴槽内の浴水自体が直接発光照明されるという水中照明でないため、従来例のものは浴室内の空間の直接照明という域を出ないものであり、浴槽内に浸かって入浴している人の身体の水面より上に出ている部位が様々に変化する色や固定色で直接照らされることになり、例えば、水面より上に出ている腕、胸、頭部、顔等が直接赤色や緑色や青色、あるいは紫色等の光で照されて赤色や緑色や青色、あるいは紫色等に染まることになる。このように、水面より上に出ている腕、胸、頭部、顔等が直接赤色や緑色や青色、あるいは紫色等の光で照されて赤色や緑色や青色、あるいは紫色等に染まるということは、浴槽に浸かっている人にとって、極めて違和感があり、リラックスするために浴槽内に浸かっている人にとって、リラックス感を大きく削ぐことになり、リラックスした入浴をするための浴室照明としては十分であるとは言えない。
【０００５】
しかも、上記特許文献１に示された従来例にあっては、浴槽内の水面の波立ちの大小によって明るさが変化するので、入浴者が浴槽の水中内に入った初めは水面が大きく波立つために変化する各光色の明るさが最大となり、波立ちが小さくなると暗くなり、入浴者が浴槽内で動いたりして波立ちが大きくなると明るくなり、浴槽から出る際に水面が大きく波立って明るさが再び最大となるものであり、このように、浴槽の水面よりも上方の空間を波立ちの状態に応じて明暗することで、趣向に富んだ光で照明することはできるが、このように明るさが不規則に変化するため、例えば急激に明から暗、暗から明に切り替わると入浴者を刺激してリラックスした入浴の妨げとなる。特に、浴槽の水中に浸かっている状態で動いて水面が波立つ毎に明るくなるので、入浴者の心理評価に基づく明暗のリズムとは関係なく急に強い光刺激を受けてリラックス感が損なわれるという問題があり、また、浴槽の水中から出る際に最も水面が波立って、最も明るくなるので、せっかくリラックスして入浴していたのが、最後に浴槽から出る際に急にリラックス感が損なわれてしまうといった問題がある。
【０００６】
更に、上記従来例にあっては、浴槽照明器具が水面に浮遊させるものであるため、入浴の邪魔になるという問題がある。
【特許文献１】特開２００４−２８１１８６号公報
【発明の開示】
【発明が解決しようとする課題】
【０００７】
本発明は上記の従来の問題点に鑑みて発明したものであって、浴槽内の水中に浸って入浴するに当って、浴水自体が照明されて光っている中に入浴できて従来の入浴では得られないリラックス感が得られ、更に、水中照明状態が変化する複数のモードを選択して入浴ができ、また、固定色明るさゆらぎモードで入浴する際、入浴者の心理評価に基づく最適の明るさ変化パターンで水中照明することで、よりリラックス感を向上させることができる浴室照明装置を提供することを課題とするものである。
【課題を解決するための手段】
【０００８】
上記課題を解決するために本発明に係る浴室照明装置は、浴室１の浴槽２内の水中を照明する水中照明器具３ａを備え、該水中照明器具３ａは、予め設定された光色変化パターンで光色が自動的に変化する光色変化モードと、光色が固定されて明るさが予め設定された明るさ変化パターンで自動的に変化する固定色明るさゆらぎモードとを備えていることを特徴とするものである。
【０００９】
このような構成とすることで、水中照明器具３ａにより浴槽２内の浴水自体を直接照明して、浴槽２内の浴水自体が色発光するという幻想的な雰囲気の浴水中に身体を浸けてリラックスして入浴することができ、また、従来のように水面より上方の空間を照明するもののように身体の一部の水面から露出した部分を直接色照明しないので、身体の一部の水面から上に出ている腕、胸、頭部、顔等が直接赤色や緑色や青色、あるいは紫色等の光で照されて赤色や緑色や青色、あるいは紫色等に染まることがなく、違和感なく幻想的な浴水中に浸かってリラックスした入浴ができる。このように、浴槽２内の浴水自体が色発光するものにおいて、光色変化モードと、固定色明るさゆらぎモードとを選択して、浴槽２内の浴水自体の色発光状態を選択できるので、水中照明状態が変化する複数のモードを選択して入浴ができる。また、固定色明るさゆらぎモードを選択して入浴した場合、浴水が固定された固定光色で発光する際、明るさが予め設定された明るさ変化パターンに基づいて自動的に変化するので、光色が固定された浴水中に浸かって入浴する際に、従来のように水面の波立ちに影響されることなく、入浴者の心理評価に基づいて最もリラックスできる最適の明るさ変化で浴水照明ができる。
【００１０】
また、浴室１内を照明する調光可能な主照明装置４と、浴室１の浴槽２内を照明する水中照明器具３ａとを備え、該水中照明器具３ａは、予め設定された光色変化パターンで光色が自動的に変化する光色変化モードと、光色が固定されて明るさが予め設定された明るさ変化パターンで自動的に変化する固定色明るさゆらぎモードとを備えていることを特徴とするものであってもよい。
【００１１】
このような構成とすることで、水中照明器具３ａにより浴槽２内の浴水自体を直接照明して、浴槽２内の浴水自体が色発光するという幻想的な雰囲気の浴水中に身体を浸けてリラックスして入浴することができ、また、従来のように水面より上方の空間を照明するもののように身体の一部の水面から露出した部分を直接色照明しないので、身体の一部の水面から上に出ている腕、胸、頭部、顔等が直接赤色や緑色や青色、あるいは紫色等の光で照されて赤色や緑色や青色、あるいは紫色等に染まることがなく、違和感なく幻想的な浴水中に浸かってリラックスした入浴ができる。このように、浴槽２内の浴水自体が色発光するものにおいて、光色変化モードと、固定色明るさゆらぎモードとを選択して、浴槽２内の浴水自体の色発光状態を選択できるので、水中照明状態が変化する複数のモードを選択して入浴ができる。また、固定色明るさゆらぎモードを選択して入浴した場合、浴水が固定された固定光色で発光する際、明るさが予め設定された明るさ変化パターンに基づいて自動的に変化するので、光色が固定された浴水中に浸かって入浴する際に、従来のように水面の波立ちに影響されることなく、入浴者の心理評価に基づいて最もリラックスできる最適の明るさ変化で浴水照明ができる。更に、上記、水中照明器具３ａによる光色変化モードや固定色明るさゆらぎモードで浴水自体を色発光させる際、同時に浴室１内を照明する主照明装置４を調光して、浴室１内の明るさを調整することにより、色発光する浴水内に浸って入浴する際、入浴時における入浴者の体調や好み等に応じて該当する入浴者が最もリラックスできる明るさに浴室１内を調光して入浴ができ、よりリラックスした入浴が可能となる。
【００１２】
また、水中照明器具３ａが、上記光色変化モードと、固定色明るさゆらぎモードに加え、更に、光色が固定され且つ明るさが一定の固定色明るさ一定発光モードを備えていることが好ましい。
【００１３】
このような構成とすることで、水中照明において、光色変化モードと、固定色明るさゆらぎモード、固定色明るさ一定発光モードのうちいずれかを入浴時における入浴者の体調や好み等に応じて選択できて、よりリラックスした入浴ができる。
【発明の効果】
【００１４】
本発明は、上記のように、浴室の浴槽内の水中を照明する水中照明器具を備えているので、浴水自体が照明されて光っている幻想的な雰囲気の浴水に浸って入浴できて従来の入浴では得られないリラックス感が得られるものであり、しかも、水中照明器具が、予め設定された光色変化パターンで光色が自動的に変化する光色変化モードと、光色が固定されて明るさが予め設定された明るさ変化パターンで自動的に変化する固定色明るさゆらぎモードとを備えているので、水中照明状態が変化する複数のモードを選択して入浴ができ、また、浴槽に浸って入浴している際、固定色明るさ変化コードを選択すると、あらかじめ設定された明るさ変化パターンで明るさを変化させるので、従来のように水面の波立ち状態に関係なく、入浴者の心理評価に基づく最適の明るさ変化パターンとして水中照明することが可能となり、よりリラックス感を向上させることができる。
【発明を実施するための最良の形態】
【００１５】
以下、本発明を添付図面に示す実施形態に基いて説明する。
【００１６】
図１乃至図８には本発明の一実施形態が示してある。浴室１の壁６の上部又は天井部７には浴室１内空間を直接照明するための主照明器具８が設けてある。浴室１内に設けた浴槽２には浴槽２内の浴水を照明するための水中照明器具３ａが設けてあり、また、浴室１の壁６の上下方向の略中間位置（浴槽２の上端よりもやや上方位置）には壁面付近を間接照明するための壁面間接照明器具３ｂが設けてある。
【００１７】
図１には上記実施形態のブロック構成図が示してあり、浴室１内に設置した操作器９に設けた各操作釦を操作することで制御部５により水中照明器具３ａ、壁面間接照明器具３ｂ、主照明器具８を制御するようになっている。図中２０はメインスイッチであって、浴室１の外（脱衣室）に設けてある。
【００１８】
主照明器具８としては白熱灯や蛍光灯が使用されるが、白熱灯の場合は調光可能とすることで浴室１内空間の明るさを自由に変えることができる。図１、図２には調光可能な主照明装置８の例が示してある。
【００１９】
水中照明器具３ａは、平面視略長方形状をした浴槽２の長手方向に沿った浴槽壁２ａに設けてあって、長手方向に沿った一方の浴槽壁２ａ側に設けた水中照明器具３ａからの発光した光が、浴槽２に入浴した人に遮られることなく長手方向に沿った他方の浴槽壁２ａ側に向けて水中照明できるようになっている。すなわち、図３に示すように浴槽２内で入浴者が膝を略ヘ字状に曲げて入浴する場合、足を伸ばして入浴する場合のいずれの場合も一方の浴槽壁２ａ側に設けた水中照明器具３ａからの発光した光が、浴槽２に入浴した人に遮られることなく他方の浴槽壁２ａ側に向けて水中照明できるようになっている。浴槽２ａ内で略へ字状に曲げた膝位置はちょうど長手方向の浴槽壁２ａの長手方向の略中間であり、高さ位置は、浴槽２内で略へ字状に曲げた膝の下方を照明の光が通過するような位置で、且つ、浴槽２の底に沿って足を伸ばした場合に膝の上を照明の光が通過するような高さに設定してある。図３において２５は入浴者を示し、２６は入浴者２５の膝を示している。
【００２０】
水中照明器具３ａには、赤色発光ダイオードからなる赤色発光体、緑色発光ダイオードからなる緑色発光体、青色発光ダイオードからなる青色発光体を備えた光源部４を有し、光源部４における前記３種類の発光体から発せられる赤色（Ｒ）、緑色（Ｇ）、青色（Ｂ）の３原色の夫々の光量を調整して混合比を替えることで、様々な色の発光が可能となっている。
【００２１】
ここで、光源部４における上記３種類の発光体の各発光を組み合わせて調色することで、様々な色相の光色を発光できるようになっている。そして、本発明においては、水中照明器具３ａによる水中照明が、予め設定された光色変化パターンで光色が自動的に変化する光色変化モードと、光色が単色に固定され且つ明るさが予め設定された明るさ変化パターンで自動的に変化する固定色明るさゆらぎモードとを備えている。
【００２２】
光色変化モードは、緑色系の光色、緑色と青色の中間色系の光色、青色系の光色、青色と赤色の中間色系の光色、赤色系の光色、緑色と赤色の中間色系の光色を順番に循環させて発光させるカラフル循環発光モードと、青系統の寒色の複数の光色を順番に循環させて発光させる寒色循環発光モードとの２つのモードを備えている。
【００２３】
カラフル循環発光モードは、上記のように緑色系の光色、緑色と青色の中間色系の光色、青色系の光色、青色と赤色の中間色系の光色、赤色系の光色、緑色と赤色の中間色系の光色を順番に循環させて発光させるモードであるが、本発明においては、青色と赤色の中間色系の光色から赤色光系の光色を経て緑色と赤色の中間色系の光色に変化する際、青色と赤色の中間色系の光色から赤色光系としてピンク色の光色に変化し、ピンク色の光色から白色光を経て緑色と赤色の中間色系の光色に変化するように制御するようになっている。
【００２４】
このカラフル循環発光モードは、上記のように全色、つまり、３原色系と、各中間色系と、白色の合計７光色を順番に循環させるもので、一例を示すと、……緑色（緑色系）→水色（緑色と青色の中間色系）→青色（青色系）→紫色（青色と赤色の中間色系）→ピンク色（赤色系）→白色→黄色（緑色と赤色との中間色系）……という順番で光色が変化するものである。このようにカラフル循環発光モードにおいて循環して発光する光色をＣＩＥ色表示系の色度図に基づいて示すと図４のようになる。
【００２５】
図４からも明らかなように、本発明におけるカラフル循環発光モードにおいては、緑色系の光色、緑色と青色の中間色系の光色、青色系の光色、青色と赤色の中間色系の光色、赤色系の光色、緑色と赤色の中間色系の光色を順番に循環させて発光させるので、光の３原色系の光色、各中間色系の光色を順番に循環させてカラフルな水中照明ができ、浴水自体を幻想的に色発光させることができる。しかしながら入浴により心身共にリラックスしようとするための浴槽２内の水中照明においては、赤系の色は刺激的な色であるため、リラックスするという観点からはできるだけ避けた方がよい。
【００２６】
このため、本発明は、赤色系の光色としては、赤色の原色は使わず入浴者に対する刺激が比較的少ないピンク色のみを使用して赤色の原色が入浴者に与える刺激を無くすようにしており、更に、赤色系の光色として使用するピンク色の発光の後に、直ぐ、緑色と赤色の中間色系の光色に変化すると、緑色と赤色の中間色系の光色による発光の際、入浴者にとっては赤色系の色であるピンク色の残像が残っているため、緑色と赤色の中間色系の光色が赤系の色の連続として感じられて、リラックスした入浴の妨げとなるが、ピンク色の光色から白色光を経て緑色と赤色の中間色系の光色に変化するように制御するので、白色光への変化で赤色系の色であるピンク色の残像を消去し、緑色と赤色の中間色系の光色に変化した際に、赤色系の光色が連続するという赤色系の色の残像を感じないようにしてあり、これにより、赤色系の光色を使用してカラフルな循環発光をすると言えども、赤色による入浴者に対する刺激をできるだけ少なくして、カラフルに循環発光する従来にない幻想的な浴水中に浸かってリラックスした入浴が可能となるようにしている。
【００２７】
寒色循環発光モードは、……青色→緑青→水色→青緑→青色→……という寒色系の５光色が順番に循環して発光するものである。このように寒色循環発光モードにおいて循環して発光する光色をＣＩＥ色表示系の色度図に基づいて示すと図５のようになる。
【００２８】
このように寒色系の複数の光色を順番に循環させて浴槽２内の水中照明を行うことで、従来にない青系の色が微妙に変化しながら光っている幻想的な浴水中に浸かって入浴できるので、よりリラックスして入浴することができる。
【００２９】
上記カラフル循環発光モード、寒色循環発光モードのいずれの循環発光モードにおいても、上記のように予め設定された光色変化パターンで光色が自動的に変化するように制御されるのであるが、更に、各循環発光モードにおいて自動的に変化する光色が予め設定された明るさ変化パターンで自動的に変化するように制御してもよい。
【００３０】
固定色明るさゆらぎモードは、３種類の発光体から発せられる赤色（Ｒ）、緑色（Ｇ）、青色（Ｂ）の３原色の夫々の光量を調整して混合比を替えることで作り出される複数の色を選択した単色を固定色として発光し、且つ、選択された固定色が予め設定された明るさ変化パターンに基づいて当該固定色の明るさを自動的に変化させるように制御部５により制御される。
【００３１】
固定色の選択の一例を挙げると、黄色、黄緑色、緑色、青緑色、水色、緑青色、青色、紫色、ピンク色、白色の１０色の中から一色（単色）を選んで固定色とするものであり、操作器９に設けた後述のカラーセレクト用操作釦１２を順番に押すことで、上記１０色を順番に選択して固定色とすることができるようになっている。このような固定色として選択される色及びその選択の順番をＣＩＥ色表示系の色度図に基づいて示すと図７のようになる。
【００３２】
選択された固定色の明るさを自動的に変化させるに当っては、その明るさの変化パターンは予め設定された変化パターンで自動的に変化するようになっており、図６はその予め設定された明るさの変化パターンの一例を示すグラフである。図６において、Ａの時間は設定された最大明るさの時間であり、Ｂは最大明るさから次第に明るさが弱くなって最小明るさに至るまでの時間であり、Ｃは最小明るさが継続する時間であり、Ｄは最小明るさから最大明るさに至るまでの時間を示しており、上記Ａ、Ｂ、Ｃ、Ｄの時間は次にようにして求めている。すなわち、実際に浴槽２の湯水内に実験者が入浴し、該浴槽２内の湯水を選択した固定色で照明すると共に明るさを変化させて、入浴者の心理状態を評価した。このような実験における入浴者の心理評価に基づいて、入浴者が最もリラックスする明るさの変化パターンを求め、このようにして求めた明るさの変化パターンに基づいて、上記Ａ、Ｂ、Ｃ、Ｄの時間を求めた。ちなみに、実験によれば、Ａ、Ｃはそれぞれ約３秒、Ｂ、Ｄはそれぞれ約１０秒が好ましい。
【００３３】
壁面間接照明器具３ｂは、浴室１の壁６の上下方向の略中間位置（浴槽２の上端よりもやや上方位置）に設置され、図８に示すように、ボックス１３内の後部にＬＥＤからなる発光体１４を配設したものである。ボックス１３は前壁部１３ａ及び両側の側壁部が遮光性を有し且つ耐薬品性を有するＡＢＳ等の合成樹脂からなり、天壁部１３ｃ及び底壁部１３ｄが透光性を有し且つ耐薬品性を有するＰＰ等の合成樹脂からなる。発光体１４はボックス１３の前壁部１３ａに向けて発光し、この光が前壁部１３ａや側壁部に当って反射して天壁部１３ｃ及び底壁部１３ｄを透過し、これによりボックス１３の上方及び下方に光が漏れ出して間接照明を実現する。このような間接照明からなる壁面間接照明器具３ｂは浴槽２内の湯水に浸かって入浴している人のほぼ目の高さに対応する壁面付近を柔らかな間接照明で淡く照らすようになっており、入浴者の目に壁面間接照明器具３ｂの光が直接光となって入らず、柔らかな間接光により浴槽２内の湯水に浸っている入浴者にリラックス効果を与えることができるようになっている。
【００３４】
次に、図１の制御部ロック図、図２の動作説明図に基づいて、水中照明器具３ａ、壁面間接照明器具３ｂ、主照明器具８の操作に付き説明する。
【００３５】
入浴者は浴室１に入る際に、浴室１の外に設けたメインスイッチ２０をオンにして浴室１に入る。メインスイッチ２０をオンにすると、制御部５により主照明器具８がオンになる。ここで、図１、図２に示す実施形態においては、主照明器具８が調光可能となっている場合の例であり、この場合、メインスイッチ２０をオンにすると主照明器具８は全灯（１００％点灯）状態となる。この状態が図２における初期状態である。
【００３６】
この主照明器具８の全灯状態においては、一般の浴室照明と同様の浴室１内照明が実現できる。
【００３７】
この主照明器具８の全灯状態において、操作器９に設けた水中照明用操作釦１０を押すことで水中照明器具３ａがオンとなってカラフル循環発光モードで照明されるように制御部５により制御されるようになっている。この時同時に主照明器具８の明るさが自動的に低下して（例えば全灯状態の２０％の明るさに低下して）浴室１内空間が薄暗くなるように制御される。
【００３８】
上記カラフル循環発光モードによる照明中に、更に、操作器９に設けた循環切換用操作釦１１を押と、水中照明器具３ａがカラフル循環発光モードから寒色循環発光モードの水中照明に切換られ、更に、循環切換用操作釦１１を押すと、再びカラフル循環発光モードの水中照明に切換られる。このように、循環切換用操作釦１１を押す毎にカラフル循環発光モードと寒色循環発光モードを交互に切り換えることができるようになっている。
【００３９】
また、上記カラフル循環発光モード又は寒色循環発光モードによる水中照明中に、カラーセレクト用操作釦１２を押すと、カラフル循環発光モード又は寒色循環発光モードによる水中照明から、固定色明るさゆらぎモードに切換られる。ここで、カラーセレクト用操作釦１２を１回、２回……と押すことで、あらかじめ設定してある複数の固定色（実施例では１０色）が順番に選択される。この固定色明るさゆらぎモードにおいては、浴水が固定された固定光色で発光する際、明るさが予め設定された明るさ変化パターンに基づいて自動的に変化するので、光色が固定された浴水中に浸かって入浴する際に、従来のように水面の波立ちに影響されることなく、入浴者の心理評価に基づいて最もリラックスできる最適の明るさ変化で浴水照明ができる。
【００４０】
なお、図２において水中照明器具３ａをオンにして浴水照明をしている場合を、浴槽２内の浴水を黒く塗りつぶして図示しており、浴槽２内の浴水が白抜きの図は水中照明器具３ａがオフの場合を示している。
【００４１】
上記のように水中照明すると、水中照明器具３ａにより浴槽２内の浴水自体が直接照明されて浴水自体が色発光するという幻想的な浴水となる。この場合、水中照明器具３ａをオンにすると同時に主照明器具８の明るさが自動的に低下して浴室１空間内が薄暗くなるので、薄暗い浴室１内において浴槽２内の浴水が幻想的に色発光するという従来にない幻想的な雰囲気を現出でき、このような雰囲気の中で幻想的に色発光する浴水中に浸かることで、リラックスした入浴が可能となる。この場合、浴水が単一色での色発光では入浴者に飽きがくるので、本発明においては、上記のように、カラフル循環発光モード、寒色循環発光モードという循環発光モードや、固定色明るさゆらぎモードを選択して、入浴者の好みやその時々における体調や心理状態に応じて複数の水中照明モードの中から適した水中照明モードを選択し、入浴者に適した幻想的な発光状態を現出している浴水中に浸かって入浴することで、リラックスした入浴ができるようになっている。
【００４２】
上記水中照明器具３ａをオンにして複数の発光モードのいずれかで水中照明を行っている際、操作器９に設けた調光用操作釦１５を操作すると主照明器具８の明るさを可変できて入用者の入浴者の好みやその時々における体調や心理状態に応じて浴室１内空間の明るさを最も適した明るさにしてよりリラックスできる雰囲気を現出するようにしている。勿論、調光用操作釦１５を操作して調光することで、全灯、消灯することもできる。
【００４３】
水中照明器具３ａをオフにするには操作器９に設けた水中照明用操作釦１０を再度押すことで水中照明器具３ａをオフにできる。水中照明器具３ａをオフにすると、主照明器具８が自動的に全灯状態となるように制御部５により制御される。
【００４４】
操作器９に設けた間接照明用操作釦１６を押すと、壁面間接照明器具３ｂがオンとなり、壁面間接照明器具３ｂが点灯して壁面付近が間接照明されると同時に主照明器具８が自動的にオフとなって消灯するように制御部５により制御される。このように壁面間接照明器具３ｂを押してオンにした際に、水中照明器具３ａがオンになっている時は水中照明は現状のモードを継続し、水中照明器具３ａがオフになっているときはオフの状態が維持されるように制御される。
【００４５】
このように、壁面間接照明器具３ｂによる間接照明の際に、主照明器具８が自動的に消灯することで、直接照明による光刺激が無くて柔らかな間接照明の雰囲気下で入浴でき、リラックスした入浴ができる。更に、この状態で主照明器具８を調光用操作釦１５を操作して主照明器具８を調光することができる。
【００４６】
また、水中照明器具３ａ、壁面間接照明器具３ｂの両方がオンで点灯し且つ主照明器具８がオフで消灯している際、水中照明器具３ａ又は壁面間接照明器具３ｂの一方をオフにしても主照明器具８はオフのままで消灯している。しかし、水中照明器具３ａ又は壁面間接照明器具３ｂの両方がオフとなると主照明器具８が自動的にオンになって全灯となるように制御される。
【００４７】
したがって、メインスイッチ２０をオンすると、主照明器具８、水中照明器具３ａ、壁面間接照明器具３ｂのいずれか一つ以上がオンとなって点灯していて、浴室１内が真っ暗な状態にならないようになっており、真っ暗になることによる危険を回避するようになっている。
【００４８】
上記実施形態では主照明器具８が調光可能な例で説明したが、主照明器具８が調光できないものであってもよい。以下、図９に示す本実施形態のブロック構成図、図１０に示す動作説明図に基づいて、水中照明器具３ａ、壁面間接照明器具３ｂ、主照明器具８の操作につき説明する。
【００４９】
前述の実施形態では操作器９に主照明器具８を調光するための調光用操作釦１５が設けてあったが、本実施形態においては図９のように調光用操作釦１５に代えて主照明オン・オフ用操作釦１８が設けてある。
【００５０】
本実施形態においても、メインスイッチ２０を操作してオンにすると主照明器具８が点灯される。この状態で水中照明用操作釦１０を押して水中照明器具３ａをオンにして水中照明を行っても、主照明器具８は点灯状態であり、その後、水中照明中に主照明オン・オフ用操作釦１８を操作することで、主照明器具８を消灯することができる。
【００５１】
一方、水中照明用操作釦１０を再び押してオフにすると、自動的に主照明器具８が点灯される。
【００５２】
また、循環切換用操作釦１１、カラーセレクト用操作釦１２の操作は前述の実施形態と同様であるので、説明は省略する。
【００５３】
また、間接照明用操作釦１６を操作して壁面間接照明器具３ｂをオンすると自動的に主照明器具８が自動的に消灯する。そして、この間接照明の状態で、主照明オン・オフ用操作釦１８を操作することで主照明器具８を点灯することもできる。
【００５４】
壁面間接照明器具３ｂによる間接照明状態において、主照明器具８がオフの場合、間接照明用操作釦１６を操作して壁面間接照明器具３ｂをオフにすると主照明器具８が自動的に点灯する。
【００５５】
また、水中照明器具３ａ及び壁面間接照明器具３ｂの両者がオンとなり、且つ、主照明器具８がオンで消灯している時、間接照明用操作釦１６を操作して壁面間接照明器具３ｂをオフにしても水中照明器具３ａがオンであると主照明器具８は消灯のままであり、この場合水中照明用操作釦１０を操作して水中照明器具３ａをオフにすることで、主照明器具８が自動的に点灯する。また、水中照明器具３ａ及び壁面間接照明器具３ｂの両者がオンとなり、且つ、主照明器具８がオンで消灯している時、水中照明用操作釦１０を操作して水中照明器具３ａをオフにしても壁面間接照明器具３ｂがオンであると主照明器具８は消灯のままであり、この場合間接照明用操作釦１６を操作して壁面間接照明器具３ｂをオフすることで主照明器具８が自動的に点灯する。
【００５６】
なお、上記したいずれの実施形態においても、壁面間接照明器具３ｂを設けた例を示したが、いずれの実施形態においても、壁面間接照明器具３ｂを設けない場合であってもよい。
【００５７】
次に、本発明の更に他の実施形態につき図１１、図１２に基づいて説明する。
【００５８】
上記各実施形態においては、水中照明器具３ａが光色変化モードと、固定色明るさゆらぎモードとを備えていたが、本実施形態は、水中照明器具３ａが光色変化モードと、固定色明るさゆらぎモードに加え、更に、光色が固定され且つ明るさが一定の固定色明るさ一定発光モードを備えていることに特徴があり、他の構成は前述の各実施形態と同様なので、重複する説明は省略し、光色が固定され且つ明るさが一定の固定色明るさ一定発光モードにつき説明する。
【００５９】
図１１は主照明器具８が調光可能な場合で、前述の図１乃至図８の実施形態に対応し、前述の図１乃至図８の実施形態における水中照明のモードに、光色が固定され且つ明るさが一定の固定色明るさ一定発光モードを加えたもので、図１１に示すように、操作器９に固定色明るさ一定用操作釦２４が設けてある。
【００６０】
図１２は主照明器具８が調光できない場合で、前述の図９、図１０の実施形態に対応し、前述の図９、図１０の実施形態における水中照明のモードに、光色が固定され且つ明るさが一定の固定色明るさ一定発光モードを加えたもので、図１２に示すように、操作器９に固定色明るさ一定用操作釦２４が設けてある。
【００６１】
そして、図１１、図１２の各実施形態において、光色変化モード（カラフル循環発光モード、寒色循環発光モード）や固定色明るさゆらぎモードによる水中照明中に、固定色明るさ一定用操作釦２４を押すと、光色変化モード（カラフル循環発光モード又は寒色循環発光モード）による水中照明や、固定色明るさゆらぎモードによる水中照明から、固定色明るさ一定発光モードに切換られる。ここで、固定色明るさ一定用操作釦２４を１回、２回……と押すことで、あらかじめ設定してある複数の固定色（実施例では固定色明るさゆらぎモードと同じ１０色）が順番に選択される。この固定色明るさ一定発光モードにおいては、浴水が選択された単色に固定された固定光色で発光する際、明るさが予め設定された一定の明るさで発光し、光色が選択された単色に固定された浴水中に浸かって入浴する際に、従来のように水面の波立ちに影響されることなく、入浴者の心理評価に基づいて最もリラックスできる最適の明るさで浴水照明ができる。
【００６２】
なお、本発明において、浴槽２に微細気泡発生装置（図示せず）を付設して、微細気泡発生装置で発生させた微細気泡を微細気泡発生装置の吐出口から浴槽２内に吐出することで湯水中に混入するようにしてもよい。微細気泡としては平均気泡径が約１０μｍ〜２０μｍのものが好ましく、この平均気泡径が約１０μｍ〜２０μｍの微細気泡は湯水中への滞留時間が長くて浴槽４内の湯水中に満遍なく分散して湯水全体を不透明な濁湯とすると共に、平均気泡径が約１０μｍ〜２０μｍの微細気泡の吐出方向と同方向に光照射部６から光が照射されるため、照射された光が上記平均気泡径が約１０μｍ〜２０μｍの微細気泡を照らすと共に反射し、これを繰り返しながら、微細気泡の全域への分散にともなって浴槽４内の湯水全体が任意の色相の光色で発光発色した色濁湯を現出することができる。
【００６３】
カラフル循環発光モードにおいては、前述のように光色が順番に変化しながら循環することで、光色が次々と変化して発光発色したカラフルな色濁湯を順番に現出することができ、また、寒色循環発光モードでは、寒色系の光色が次々と変化することで、発光発色した複数色の寒色系の色濁湯を順番に現出することができ、また、固定色明るさゆらぎモードにおいては、固定された光色で且つ明るさが変化する光で照明されるため、固定された光色で発光発色する色濁湯の濃淡が微妙に変化するようにでき、従来にない幻想的な色で発光する浴水中に浸かってよりいっそうリラックスした入浴が可能となる。
【図面の簡単な説明】
【００６４】
【図１】本発明の一実施形態の概略ブロック構成図である。
【図２】同上の動作説明図である。
【図３】同上の水中照明器具の浴槽への取付け位置を示す説明図である。
【図４】同上のカラフル循環発光モードにおいて循環して発光する光色をＣＩＥ色表示系の色度図に基づいて示した図面である。
【図５】同上の寒色循環発光モードにおいて循環して発光する光色をＣＩＥ色表示系の色度図に基づいて示した図面である。
【図６】同上の固定色明るさゆらぎモードにおける明るさと時間の関係を示すグラフである。
【図７】同上の固定色の選択順序をＣＩＥ色表示系の色度図に基づいて示した図面である。
【図８】同上に用いる壁面間接照明器具の断面図である。
【図９】本発明の他の実施形態の概略ブロック構成図である。
【図１０】同上の動作説明図である。
【図１１】本発明の更に他の実施形態の概略ブロック構成図である。
【図１２】本発明の更に他の実施形態の概略ブロック構成図である。
【符号の説明】
【００６５】
１  浴室
２  浴槽
３ａ  水中照明器具
【図１】
2008053183.tif 000003
【図２】
2008053183.tif 000004
【図３】
2008053183.tif 000005
【図４】
2008053183.tif 000006
【図５】
2008053183.tif 000007
【図６】
2008053183.tif 000008
【図７】
2008053183.tif 000009
【図８】
2008053183.tif 000010
【図９】
2008053183.tif 000011
【図１０】
2008053183.tif 000012
【図１１】
2008053183.tif 000013
【図１２】
2008053183.tif 000014